(57)【特許請求の範囲】
【請求項１】
検査を実施した診療科の端末から、前記端末の識別情報と、前記検査の受検者の識別情報とを取得する取得処理と、
自科の端末の識別情報と検査の種別とが関連付けて登録された端末データベースに、前記取得処理によって取得された前記識別情報が登録されているか否かを判定することによって、検査を実施した端末が自科の端末であるか他科の端末であるかを判定する登録判定処理と、
取得された前記識別情報が登録されていると判定されることによって自科の端末であると判定された場合に、前記端末データベースから、前記識別情報に対応する前記検査の種別を抽出する種別抽出処理と、
前記種別抽出処理によって抽出された前記検査の種別を前記受検者の識別情報とともに、会計システムへ出力する出力処理と、
をコンピュータに実行させることを特徴とする情報管理プログラム。
【請求項２】
前記端末データベースには、前記自科の端末の識別情報に対して、１または複数の前記検査の種別が登録されるとともに、該検査の種別毎に所定のキーワードが関連付けて登録されており、
前記端末データベースに、取得された前記識別情報に対する複数の前記検査の種別が登録されているか否かを判定する端末判定処理と、
前記複数の前記検査の種別が登録されていると判定された場合、前記受検者の識別情報と前記受検者の診療情報とが関連付けて登録された診療情報データベースから、前記取得処理によって取得された前記受検者の識別情報に対応する前記診療情報を抽出する情報抽出処理と、
前記情報抽出処理によって抽出された診療情報の文字列に、前記所定のキーワードが含まれるか否かを判定する文字判定処理と、を前記コンピュータに実行させ、
前記種別抽出処理は、前記文字判定処理によって前記診療情報の文字列に前記所定のキーワードが含まれると判定された場合、前記端末データベースから、前記所定のキーワードに対応する前記検査の種別を抽出することを特徴とする請求項１に記載の情報管理プログラム。
【請求項３】
前記端末データベースに前記所定のキーワードを登録する登録処理と、
前記文字判定処理によって前記診療情報の文字列に前記所定のキーワードが含まれないと判定された場合、前記診療科の端末に対し、前記検査の種別の選択要求を出力する要求出力処理と、
選択された前記検査の種別を取得する他の取得処理とを、さらに前記コンピュータに実行させ、
前記登録処理は、前記他の取得処理によって取得された前記検査の種別に対応する前記所定のキーワードとして、前記情報抽出処理によって抽出された前記診療情報の文字列内の単語を登録することを特徴とする請求項２に記載の情報管理プログラム。
【請求項４】
前記検査の種別は、前記検査に用いられる薬剤の種別と量に関する情報と、前記検査に用いられる器材の種別と数量に関する情報のうち、少なくともいずれか一方を含むことを特徴とする請求項１〜３のいずれか一つに記載の情報管理プログラム。
【請求項５】
複数の診療科の内の検査を実施した診療科に対応付けられた端末から送信された、前記端末の識別情報と、前記検査の受検者の識別情報とを受け付け、
前記複数の診療科の内の自己の診療科に対応付けられた端末が記憶された記憶部を参照して、前記端末の識別情報が該自己の診療科に対応付けられている場合に、前記検査は該自己の診療科にて実施された自科検査であると判定し、
前記自科検査であると判定した場合に、前記端末に対応する検査の種別を特定して、該検査の種別を前記受検者の識別情報とともに、会計システムへ出力する
処理をコンピュータに実行させることを特徴とする情報管理プログラム。
【請求項６】
自科の端末の識別情報と検査の種別とが関連付けて登録された端末データベースを記憶する記憶部と、
検査を実施した診療科の端末から、前記端末の識別情報と、前記検査の受検者の識別情報とを取得する取得部と、
前記端末データベースに、前記取得部によって取得された前記識別情報が登録されているか否かを判定することによって、検査を実施した端末が自科の端末であるか他科の端末であるかを判定する登録判定部と、
取得された前記識別情報が登録されていると判定されることによって自科の端末であると判定された場合に、前記端末データベースから、前記識別情報に対応する前記検査の種別を抽出する種別抽出部と、
前記種別抽出部によって抽出された前記検査の種別を前記受検者の識別情報とともに、会計システムへ出力する出力部と、
を備えることを特徴とする情報管理装置。
【請求項７】
自科の端末の識別情報と検査の種別とが関連付けて登録された端末データベースを記憶するコンピュータが、
検査を実施した診療科の端末から、前記端末の識別情報と、前記検査の受検者の識別情報とを取得する取得処理と、
前記端末データベースに、前記取得処理によって取得された前記識別情報が登録されているか否かを判定することによって、検査を実施した端末が自科の端末であるか他科の端末であるかを判定する登録判定処理と、
取得された前記識別情報が登録されていると判定されることによって自科の端末であると判定された場合に、前記端末データベースから、前記識別情報に対応する前記検査の種別を抽出する種別抽出処理と、
を実行することを特徴とする情報管理方法。
【発明の詳細な説明】
【技術分野】
【０００１】
本発明は、情報を管理する情報管理プログラム、情報管理装置および情報管理方法に関する。
【背景技術】
【０００２】
医療機関における診療科には、自発的に検査を実施する診療科（以下、「自科」という）と、他の診療科からの依頼を受け付けて検査を実施する診療科（以下、「他科」という）とがある。自科による検査は自科検査、他科による検査は他科検査と呼ばれる。
【０００３】
また、医療機関で検査が実施される場合、検査の実施情報が作成されることがある。実施情報は、患者の識別情報や、実施された検査の内容などが関連付けられた情報である。実施情報は、例えば、医療費などの会計情報の管理や、検査に用いる薬剤や器材の在庫情報の管理などに用いられる。そこで、他科検査における実施情報の作成を支援する技術が開示されている。
【先行技術文献】
【特許文献】
【０００４】
【特許文献１】特開平６−３０１６９７号公報
【発明の概要】
【発明が解決しようとする課題】
【０００５】
しかしながら、自科検査が実施された場合、実施情報の作成時はユーザによって自科の端末に入力されて作成されるため、他科検査が実施された場合よりも自科の端末のユーザの作業工程が増加してしまう。そのため、入力ミスにより作成される実施情報に不備があったり、入力し忘れにより実施情報が作成されなかったりするという問題があった。
【０００６】
本発明は、上述した従来技術による問題点を解消するため、自科検査の実施情報の自動作成による業務効率化を図ることのできる情報管理プログラム、情報管理装置および情報管理方法を提供することを目的とする。
【課題を解決するための手段】
【０００７】
上述した課題を解決し、目的を達成するため、本発明の一側面によれば、検査を実施した診療科の端末から、前記端末の識別情報と、前記検査の受検者の識別情報とを取得し、自科検査用の検査端末の識別情報と検査の種別とが関連付けて登録された端末データベースに、取得された前記識別情報が登録されているか否かを判定し、取得された前記識別情報が登録されていると判定された場合に、前記端末データベースから、前記識別情報に対応する前記検査の種別を抽出し、抽出された前記検査の種別を前記受検者の識別情報とともに、会計システムへ出力する情報管理プログラム、情報管理装置および情報管理方法が提案される。
【発明の効果】
【０００８】
本発明の一側面によれば、自科検査の実施情報の自動作成による業務効率化を図ることができるという効果を奏する。
【図面の簡単な説明】
【０００９】
【図１】図１は、実施の形態にかかる情報管理方法の一実施例を示す説明図である。
【図２】図２は、実施の形態にかかる情報管理システムの一例を示す説明図である。
【図３】図３は、実施の形態にかかる電子カルテサーバのハードウェア構成例を示すブロック図である。
【図４】図４は、電子カルテＤＢの記憶内容の一例を示す説明図である。
【図５】図５は、リンクマスタの記憶内容の一例を示す説明図である。
【図６】図６は、実施情報の一例を示す説明図である。
【図７】図７は、会計ＤＢの記憶内容の一例を示す説明図である。
【図８】図８は、物流ＤＢの記憶内容の一例を示す説明図である。
【図９】図９は、電子カルテサーバの機能的構成を示すブロック図である。
【図１０−１】図１０−１は、実施の形態にかかる電子カルテサーバの自科実施情報作成処理手順の一例を示すフローチャートである。
【図１０−２】図１０−２は、実施の形態にかかる電子カルテサーバのリンクマスタ登録処理手順の一例を示すフローチャートである。
【図１０−３】図１０−３は、実施の形態にかかる電子カルテサーバの自科実施情報出力処理手順の一例を示すフローチャートである。
【図１１】図１１は、実施の形態にかかる会計サーバの会計情報管理処理手順の一例を示すフローチャートである。
【図１２】図１２は、実施の形態にかかる物流サーバの物流情報管理処理手順の一例を示すフローチャートである。
【発明を実施するための形態】
【００１０】
以下に添付図面を参照して、本発明にかかる情報管理プログラム、情報管理装置および情報管理方法の実施の形態を詳細に説明する。
【００１１】
（情報管理例）
まず、実施の形態にかかる情報管理例について説明する。実施の形態においては、自科検査が実施された場合、自動的に実施情報が作成される。これにより、自科検査の実施情報が作成されるため、業務効率化を図ることができる。
【００１２】
図１は、実施の形態にかかる情報管理方法の一実施例を示す説明図である。図１においては、自科検査が実施された場合と、他科検査が実施された場合における、実施情報が作成されて利用されるまでの過程について説明する。図１において、自科システム１０１と、他科システム１０２と、電子カルテサーバ１０３と、実施情報利用システム１０４とが接続されている。
【００１３】
自科システム１０１は、自科における検査装置や、該検査装置からの検査結果を受信する端末を含むシステムである。自科は、他の診療科からの依頼を受けずに自発的に検査を実施する診療科である。診療科とは、診察する専門分野毎の区分である。例えば、診療科には、産婦人科や、眼科や、耳鼻科や、泌尿器科などがある。
【００１４】
検査装置は、例えば、ユーザからの操作を受け付けた場合に、操作に応じた検査を実行する。ここで、ユーザとは、検査装置の利用者であり、例えば、医師や、看護師などである。端末とは、検査装置から検査結果を受信し、受信した検査結果を電子カルテサーバ１０３へ送信するコンピュータである。自科による検査には、例えば、エコー検査（超音波検査）や、内視鏡検査や、眼底カメラ検査や、デジカメ検査などがある。また、以下、自科による検査を「自科検査」という。
【００１５】
他科システム１０２は、他科における検査装置や、該検査装置からの検査結果を受信する端末などを含むシステムである。他科は、他の診療科からの依頼を受けて検査を実行する診療科である。他科による検査には、例えば、ＣＴ（Ｃｏｍｐｕｔｅｄ  Ｔｏｍｏｇｒａｐｈｙ）検査や、ＭＲＩ（Ｍａｇｎｅｔｉｃ  Ｒｅｓｏｎａｎｃｅ  Ｉｍａｇｉｎｅ）検査や、ＲＩ（Ｒａｄｉｏｉｓｏｔｏｐｅ）検査などがある。以下、他科による検査を「他科検査」という。
【００１６】
電子カルテサーバ１０３は、検査が実行された診療科の端末から検査結果を取得し、取得した検査結果を記憶するサーバである。検査が実行された診療科の端末とは、自科システム１０１の端末および他科システム１０２の端末である。
【００１７】
実施情報利用システム１０４は、自科システム１０１または他科システム１０２によって実施された検査の実施情報を利用するシステムである。実施情報には、例えば、検査が実施された患者の患者ＩＤや、実施された検査の検査種別や、実施された検査に用いられた使用薬剤およびその使用量などが含まれる。また、実施情報利用システム１０４には、検査の会計情報の管理を目的とした会計システムや、薬剤などの在庫情報の管理を目的とした物流システムなどがある。
【００１８】
ここで、各診療科にて検査が実施された際の情報の管理方法について説明する。図１において、矢印（Ａ）は、自科検査が実施された際の情報の流れを示している。また、矢印（Ｂ）は、他科検査が実施された際の情報の流れを示している。
【００１９】
まず、自科検査が実施された場合、矢印（Ａ１）に示すように、自科システム１０１から電子カルテサーバ１０３に対して、自科システム１０１の端末の端末ＩＤと、自科検査が実施された患者の患者ＩＤと、自科検査による検査結果とが送信される。端末ＩＤとは、端末毎に設定された端末の識別情報である。患者ＩＤとは、患者毎に設定された患者の識別情報である。検査結果とは、各診療科によって実施された検査の結果である。
【００２０】
つぎに、電子カルテサーバ１０３は、電子カルテサーバ１０３に予め記憶されたリンクマスタ１０５に、受信した端末ＩＤと一致する端末ＩＤが含まれるか否かを判定し、含まれる場合、矢印（Ａ２）に示すように、実施情報を作成する。リンクマスタ１０５には、自科システム１０１における端末の端末ＩＤと、該端末ＩＤに応じた検査種別と、該検査種別に応じて予め定められている使用薬剤および使用量などの情報が登録されている。具体的に、例えば、リンクマスタ１０５には、「端末ＩＤがαである自科の端末においては、薬剤Ａを１００ｍｌ使用する腎臓エコー検査が実施可能である」という情報が含まれている。
【００２１】
また、具体的に、電子カルテサーバ１０３は、受信した端末ＩＤに対応する検査種別と使用薬剤と使用量とを、受信した患者ＩＤに関連付けることにより、実施情報を作成する。以下、自科検査の実施情報を「自科実施情報」という。
【００２２】
最後に、矢印（Ａ３）に示すように、電子カルテサーバ１０３にて作成された自科実施情報は、実施情報利用システム１０４に送信され、実施情報利用システム１０４にて利用される。
【００２３】
また、他科検査が実施される場合、矢印（Ｂ１）に示すように、自科システム１０１から他科システム１０２に対して、オーダデータが出力される。オーダデータには、検査が実施される患者の患者ＩＤと、自科が希望する検査の検査内容の情報が含まれる。そして、オーダデータを取得した他科システム１０２は、オーダデータに応じた検査を実施する。
【００２４】
つぎに、他科システム１０２は、矢印（Ｂ２）に示すように、電子カルテサーバ１０３に対して、他科システム１０２の端末の端末ＩＤと、他科検査が実施された患者の患者ＩＤと、他科検査による検査結果とを送信する。このとき、電子カルテサーバ１０３は、受信した端末ＩＤと、リンクマスタ１０５に含まれる端末ＩＤとが一致しないため、実施情報の作成は行わない。
【００２５】
また、オーダデータに応じた他科検査を実施した他科システム１０２は、実施した他科検査の実施情報を作成する。以下、他科検査の実施情報を「他科実施情報」という。そして、矢印（Ｂ３）に示すように、他科システム１０２にて作成された他科実施情報は、実施情報利用システム１０４に送信され、実施情報利用システム１０４にて利用される。
【００２６】
（情報管理システムの一例）
図２は、実施の形態にかかる情報管理システムの一例を示す説明図である。図２において、情報管理システム２００は、情報を管理するシステムである。情報管理システム２００において、第１検査システム２１１と、第２検査システム２１２と、第３検査システム２１３と、電子カルテサーバ１０３と、会計システム２３０と、物流システム２４０とは、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などのネットワーク２５０を介して接続されている。
【００２７】
第１検査システム２１１と、第２検査システム２１２と、第３検査システム２１３とは、図１に示した自科システム１０１または他科システム１０２のいずれかである。また、会計システム２３０と、物流システム２４０とは、図１に上述した実施情報利用システム１０４に含まれるシステムである。
【００２８】
第１検査システム２１１と、第２検査システム２１２と、第３検査システム２１３とは、それぞれ異なる診療科において検査の実施に用いられるシステムである。第１検査システム２１１は、第１検査端末２１１ａと第１検査装置２１１ｂとを有する。第１検査装置２１１ｂは検査を実行する。第１検査端末２１１ａは、第１検査装置２１１ｂによって実行された検査結果を取得する。
【００２９】
また、第２検査システム２１２は、第２検査端末２１２ａと第２検査装置２１２ｂとを有する。第２検査装置２１２ｂは検査を実行する。第２検査端末２１２ａは、第２検査装置２１２ｂによって実行された検査結果を取得する。第３検査システム２１３は、第３検査端末２１３ａと第３検査装置２１３ｂとを有する。第３検査装置２１３ｂは検査を実行する。第３検査端末２１３ａは、第３検査装置２１３ｂによって実行された検査結果を取得する。
【００３０】
電子カルテサーバ１０３は、第１検査端末２１１ａと第２検査端末２１２ａと第３検査端末２１３ａとから、検査終了情報を取得する。検査終了情報には、例えば、各端末の端末ＩＤと、各診療科において検査が実施された患者の患者ＩＤと、各診療科において実施された検査の検査結果とが含まれる。また、電子カルテサーバ１０３は、電子カルテＤＢ２２１と、リンクマスタ１０５とを有する。
【００３１】
電子カルテＤＢ２２１は、第１検査端末２１１ａと第２検査端末２１２ａと第３検査端末２１３ａとから取得された検査結果を、患者ＩＤと診察日とを関連付けて記憶する。また、電子カルテＤＢ２２１は、問診における患者の発言内容や、医師による所見がカルテデータとして記憶される。診察日については、検査結果とともに各検査端末から電子カルテサーバ１０３が取得するものとするが、これに限るものではない。例えば、電子カルテサーバ１０３が、自立したタイマを有し、検査終了情報を取得した際に、タイマから診察日を抽出するものであってもよい。電子カルテＤＢ２２１の詳細は、図４に後述する。
【００３２】
リンクマスタ１０５には、電子カルテサーバ１０３が自科実施情報を作成するための情報が記憶されている。実施情報を作成するための情報とは、例えば、自科における端末の端末ＩＤや、検査種別や、検査に使用する備品および該備品の使用量などが設定されている。以下、自科における端末を「自科端末」、他科における端末を「他科端末」という。リンクマスタ１０５の詳細は、図５に後述する。
【００３３】
会計システム２３０は、実施情報を利用して、会計情報の管理を行うシステムであり、会計端末２３１と、会計サーバ２３２とを有する。会計サーバ２３２は、会計ＤＢ２３３を有する。会計サーバ２３２は、電子カルテサーバ１０３または各検査システムの端末から実施情報を取得し、取得した実施情報に基づいて会計情報を作成する。そして、会計サーバ２３２は、作成した会計情報を会計ＤＢ２３３に記憶する。会計ＤＢ２３３に詳細については、図７に後述する。
【００３４】
会計端末２３１は、患者ＩＤが入力され、入力された患者ＩＤに基づいて、会計サーバ２３２から会計情報を取得する。患者ＩＤが入力されるとは、例えば、患者ＩＤが記憶された媒体が接続されたり、付属のキーボードを介して患者ＩＤが入力されたりすることである。そして、会計端末２３１は、取得した会計情報をディスプレイに表示する。
【００３５】
物流システム２４０は、実施情報を利用して、物流情報の管理を行うシステムである。また、物流システム２４０は、物流端末２４１と、物流サーバ２４２とを有する。物流サーバ２４２は、物流ＤＢ２４３を有する。物流ＤＢ２４３には、検査に用いられる薬剤や器材などの備品と、該備品の残量が関連付けて記憶されている。物流ＤＢ２４３の詳細は、図８に後述する。
【００３６】
物流サーバ２４２は、電子カルテサーバ１０３または各検査システムの端末から実施情報を取得し、取得した実施情報に基づいて物流ＤＢ２４３を更新する。具体的に、例えば、物流サーバ２４２は、実施情報に含まれる薬剤や器材などの使用量を、物流ＤＢ２４３に記憶されている薬剤や器材などの備品の残量から減算する。
【００３７】
また、物流サーバ２４２は、物流ＤＢ２４３に記憶されている備品の残量が規定値以下になった場合に、物流端末２４１に対して補充要求を送信する。補充要求を物流サーバ２４２から取得した物流端末２４１は、付属のディスプレイに補充要求を取得した旨を表示する。これにより、物流端末２４１のユーザに補充要求が伝達される。
【００３８】
具体的に、例えば、電子カルテサーバ１０３は、第１検査端末２１１ａ、第２検査端末２１２ａ、第３検査端末２１３ａのいずれかから検査終了情報を取得した場合、自科端末からの検査終了情報を取得したか否かを判定する。具体的には、電子カルテサーバ１０３は、取得した検査終了情報に含まれる端末ＩＤが、リンクマスタ１０５に登録されている自科端末の端末ＩＤと一致するか否かを判定する。
【００３９】
例えば、電子カルテサーバ１０３は、取得した検査終了情報に含まれる端末ＩＤが、リンクマスタ１０５に登録されている自科端末の端末ＩＤと一致する場合に、自科端末からの検査終了情報を取得したと判定する。また、例えば、電子カルテサーバ１０３は、取得した検査終了情報に含まれる端末ＩＤが、リンクマスタ１０５に登録されている自科端末の端末ＩＤと一致しない場合に、他科端末からの検査終了情報を取得したと判定する。
【００４０】
そして、自科端末からの検査終了情報であると判定した電子カルテサーバ１０３は、自科実施情報を作成する。具体的には、例えば、電子カルテサーバ１０３は、リンクマスタ１０５から、端末ＩＤに対応する検査種別や、検査に使用する備品および該備品の使用量を抽出する。そして、電子カルテサーバ１０３は、抽出した検査種別と、検査に使用する備品および該備品の使用量とを、端末から受信した患者ＩＤに対応付けることにより、自科実施情報を作成する。
【００４１】
そして、電子カルテサーバ１０３は、会計システム２３０および物流システム２４０に対して、作成した自科実施情報を出力する。また、他科端末からの検査終了情報を取得したと判定した場合、電子カルテサーバ１０３は、実施情報を作成しない。
【００４２】
（電子カルテサーバ１０３のハードウェア構成例）
図３は、実施の形態にかかる電子カルテサーバのハードウェア構成例を示すブロック図である。図３において、電子カルテサーバ１０３は、ＣＰＵ（Ｃｅｎｔｒａｌ  Ｐｒｏｃｅｓｓｉｎｇ  Ｕｎｉｔ）３０１と、ＲＯＭ（Ｒｅａｄ‐Ｏｎｌｙ  Ｍｅｍｏｒｙ）３０２と、ＲＡＭ（Ｒａｎｄｏｍ  Ａｃｃｅｓｓ  Ｍｅｍｏｒｙ）３０３と、磁気ディスクドライブ３０４と、磁気ディスク３０５と、光ディスクドライブ３０６と、光ディスク３０７と、Ｉ／Ｆ（Ｉｎｔｅｒｆａｃｅ）３０８と、を備えている。また、各構成部はバス３００によってそれぞれ接続されている。
【００４３】
ここで、ＣＰＵ３０１は、電子カルテサーバ１０３の全体の制御を司る。ＲＯＭ３０２は、ブートプログラムなどのプログラムを記憶している。ＲＡＭ３０３は、ＣＰＵ３０１のワークエリアとして使用される。磁気ディスクドライブ３０４は、ＣＰＵ３０１の制御にしたがって磁気ディスク３０５に対するデータのリード／ライトを制御する。磁気ディスク３０５は、磁気ディスクドライブ３０４の制御で書き込まれたデータを記憶する。
【００４４】
光ディスクドライブ３０６は、ＣＰＵ３０１の制御にしたがって光ディスク３０７に対するデータのリード／ライトを制御する。光ディスク３０７は、光ディスクドライブ３０６の制御で書き込まれたデータを記憶したり、光ディスク３０７に記憶されたデータをコンピュータに読み取らせたりする。
【００４５】
インターフェース（以下、「Ｉ／Ｆ」と略する。）３０８は、通信回線を通じてＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどのネットワーク２５０に接続され、このネットワーク２５０を介して他の装置に接続される。そして、Ｉ／Ｆ３０８は、ネットワーク２５０と内部のインターフェースを司り、外部装置からのデータの入出力を制御する。Ｉ／Ｆ３０８には、例えばモデムやＬＡＮアダプタなどを採用することができる。
【００４６】
つぎに、電子カルテＤＢ２２１の記憶内容について説明する。電子カルテＤＢ２２１は、例えば、図３に示した電子カルテサーバ１０３のＲＯＭ３０２、ＲＡＭ３０３、磁気ディスク３０５、光ディスク３０７などの記憶装置により実現される。
【００４７】
（電子カルテＤＢ２２１の記憶内容）
図４は、電子カルテＤＢの記憶内容の一例を示す説明図である。図４において、電子カルテＤＢ２２１は、患者ＩＤ、診察日および備考のフィールドを有する。各フィールドに情報を設定することで、電子カルテ特性データ４００−１〜４００−ｎがレコードとして記憶されている。
【００４８】
ここで、患者ＩＤは、診察が行われた患者の識別番号である。診察日は、患者ＩＤに対応する患者に対して診察が行われた日付である。例えば、診察日が「２０１００９２８」である場合、２０１０年９月２８日に診察が行われたことを示している。また、備考は、患者ＩＤに対応する患者に対して問診が行われた際の患者の発言や、医師による所見の文字列である。
【００４９】
一例として、電子カルテ特性データ４００−１を例に挙げると、患者ＩＤ「００００００００１」、診察日「２０１１０１２５」、備考「腎臓のあたりが痛い。」が記憶されている。
【００５０】
つぎに、リンクマスタ１０５の記憶内容について説明する。リンクマスタ１０５は、例えば、図３に示した電子カルテサーバ１０３のＲＯＭ３０２、ＲＡＭ３０３、磁気ディスク３０５、光ディスク３０７などの記憶装置により実現される。
【００５１】
（リンクマスタ１０５の記憶内容）
図５は、リンクマスタの記憶内容の一例を示す説明図である。図５において、リンクマスタ１０５は、端末ＩＤ、検査種別、薬剤・器材、数量およびキーワードのフィールドを有する。各フィールドに情報を設定することで、リンク特性データ５００−１〜５００−ｍがレコードとして記憶されている。
【００５２】
ここで、端末ＩＤは、自科端末の識別情報である。検査種別は、端末毎に実行可能な検査の種別である。検査種別には、例えば、腎臓エコー検査、膀胱エコー検査、前立腺エコー検査、膀胱鏡検査、腹腔鏡（内視鏡）検査などがある。薬剤・器材は、検査に使用される薬剤または器材の名称である。数量は、検査に使用される薬剤または器材の量である。キーワードは、検査種別を選択する際に用いられる単語である。
【００５３】
一例として、リンク特性データ５００−１を例に挙げると、端末ＩＤ「端末Ｘ」、検査種別「腎臓エコー検査」、薬剤・器材「薬剤Ａ」およびその数量「１００ｍｌ」、薬剤「薬剤Ｂ」およびその数量「２５ｍｌ」、キーワード「腎臓、腎不全、癌」が記憶されている。
【００５４】
（実施情報の一例）
図６は、実施情報の一例を示す説明図である。図６に示す実施情報６００は、識別ＩＤ、患者ＩＤ、診察日、検査種別、薬剤・器材および数量の情報を含む。識別ＩＤは、実施情報の識別情報である。患者ＩＤは、患者の識別情報であり、検査が行われた診療科の端末から受信した患者ＩＤである。診察日は、検査が実施された日付であり、検査を実施した診療科の端末から検査結果とともに送信される情報である。検査種別は、リンクマスタ１０５から抽出された検査種別である。薬剤・器材は、リンクマスタ１０５から抽出された薬剤・器材である。数量は、リンクマスタ１０５から抽出された薬剤・器材の数量である。
【００５５】
一例として、実施情報６００には、識別ＩＤ「端末Ｘ」、患者ＩＤ「００００００００１」、診察日「２０１１０２０８」、検査種別「腎臓エコー」、薬剤・器材「薬剤Ａ」およびその数量「１００ｍｌ」、薬剤「薬剤Ｂ」およびその数量「２５ｍｌ」が含まれる。
【００５６】
つぎに、会計ＤＢ２３３の記憶内容について説明する。会計ＤＢ２３３は、例えば、会計サーバ２３２のＲＯＭ、ＲＡＭ、磁気ディスク、光ディスクなどの記憶装置により実現される。
【００５７】
（会計ＤＢ２３３の記憶内容）
図７は、会計ＤＢの記憶内容の一例を示す説明図である。図７において、会計ＤＢ２３３は、患者ＩＤ、診察日および診察料のフィールドを有する。各フィールドに情報を設定することで、会計特性データ７００−１〜７００−ｒがレコードとして記憶されている。
【００５８】
ここで、患者ＩＤは、診察を終えた患者の識別情報である。診察日は、患者ＩＤに対応する患者の診察を行った日付である。例えば、診察日が「２０１００９２８」である場合、２０１０年９月２８日に診察が行われたことを示している。診察料は、実施情報に基づいて算出された、患者ＩＤに対応する患者に請求する料金である。
【００５９】
一例として、会計特性データ７００−１を例に挙げると、患者ＩＤ「００００００００１」、診察日「２０１１０２０８」、診察料「￥３１５０」が記憶されている。
【００６０】
つぎに、物流ＤＢ２４３の記憶内容について説明する。物流ＤＢ２４３は、例えば、図３に示した物流サーバ２４２のＲＯＭ、ＲＡＭ、磁気ディスク、光ディスクなどの記憶装置により実現される。
【００６１】
（物流ＤＢ２４３の記憶内容）
図８は、物流ＤＢの記憶内容の一例を示す説明図である。図８において、物流ＤＢ２４３は、薬剤・器材、残量および規定値のフィールドを有する。各フィールドに情報を設定することで、物流特性データ８００−１〜８００−ｐがレコードとして記憶されている。
【００６２】
ここで、薬剤・器材は、検査に用いる薬剤や器材の名称である。残量は、薬剤・器材の残量である。規定値は、薬剤・器材の残量がこの値未満になった場合に、該薬剤・器材の発注を行うべき値である。
【００６３】
一例として、物流特性データ８００−１を例に挙げると、薬剤・器材「薬剤Ａ」、残量「１２８００ｍｌ」、規定値「３０００ｍｌ」が記憶されている。
【００６４】
（電子カルテサーバ１０３の機能的構成例）
つぎに、電子カルテサーバ１０３の機能的構成例について説明する。図９は、電子カルテサーバの機能的構成を示すブロック図である。電子カルテサーバ１０３は、取得部９０１と、登録判定部９０２と、種別抽出部９０３と、出力部９０４と、端末判定部９０５と、情報抽出部９０６と、文字判定部９０７と、登録部９０８と、要求出力部９０９と、電子カルテＤＢ２２１と、リンクマスタ１０５とを含む構成である。この制御部となる機能（取得部９０１〜要求出力部９０９）は、具体的には、例えば、図３に示したＲＯＭ３０２、ＲＡＭ３０３、磁気ディスク３０５、光ディスク３０７などの記憶装置に記憶されたプログラムをＣＰＵ３０１に実行させることにより、または、Ｉ／Ｆ３０８により、その機能を実現する。
【００６５】
取得部９０１は、検査を実施した診療科の端末から、端末の識別情報と、検査の受検者の識別情報とを取得する。受検者とは、検査が実施された患者のことである。具体的に、例えば、取得部９０１は、端末から、端末の識別情報と、検査の受検者の識別情報とを含む情報を受信することにより、各識別情報を取得する。また、例えば、取得部９０１が、検査を実施した診療科の端末から、検査結果を取得する際に、端末の識別情報と、受検者の識別情報とを取得する。
【００６６】
登録判定部９０２は、自発的に検査を実施する診療科の端末の識別情報と検査の種別とが関連付けて登録された端末データベースに、取得部９０１によって取得された端末の識別情報が登録されているか否かを判定する。自発的に検査を実施する診療科とは、上述したように、他の診療科からの依頼を受けずに検査を実施する診療科（自科）である。検査の種別とは、検査の内容の区分であり、例えば、実施の形態における検査種別である。
【００６７】
端末データベースには、具体的に、端末の識別情報と、該端末にて実施可能な検査の種別とが関連付けられている。端末データベースとは、例えば、本実施の形態におけるリンクマスタ１０５である。例えば、登録判定部９０２が、端末データベースに、取得された端末の識別情報と一致する端末の識別情報が含まれるか否かを判定する。また、端末データベースには、検査の種別と、所定のキーワードとが関連付けて登録されていることとしてもよい。
【００６８】
種別抽出部９０３は、登録判定部９０２によって端末データベースに取得された端末の識別情報が登録されていると判定された場合に、端末データベースから、取得された端末の識別情報に対応する検査の種別を抽出する。
【００６９】
出力部９０４は、種別抽出部９０３によって抽出された検査の種別を受検者の識別情報とともに出力する。具体的に、例えば、出力部９０４が、検査の種別を受検者の識別情報とともに他のシステムに送信する。他のシステムとは、例えば、会計システム２３０や物流システム２４０である。また、出力部９０４が、ＲＯＭ３０２、ＲＡＭ３０３、磁気３０５、光ディスク３０７などの記憶領域に、検査の種別を受検者の識別情報とともに記憶することとしてもよい。また、出力部９０４は、検査の種別を受検者の識別情報とともに他のシステムへ出力する前に、検査の種別を受検者の識別情報とともに検査を実施した診療科の端末へ出力することとしてもよい。その場合、検査を実施した診療科の端末のユーザに、検査の種別および受検者の識別情報を確認させることができる。
【００７０】
端末判定部９０５は、端末データベースに、取得された端末の識別情報に対する複数の検査の種別が登録されているか否かを判定する。例えば、具体的に、端末判定部９０５が、取得された端末の識別情報に対して、端末データベースに２以上の検査の種別が登録されているか否かを判定する。
【００７１】
情報抽出部９０６は、端末判定部９０５によって、取得された端末の識別情報に対する複数の検査の種別が登録されていると判定された場合、受検者の識別情報と受検者の診療情報とが関連付けて登録された診療情報データベースから、取得部９０１によって取得された受検者の識別情報に対応する診療情報を抽出する。診療情報データベースとは、患者に対して行われた診察の情報が登録されるデータベースであり、例えば、本実施の形態における電子カルテＤＢ２２１である。受検者の診療情報とは、例えば、問診時における受検者の発言内容や医師による所見などの文字列が登録された情報であり、本実施の形態におけるカルテデータである。
【００７２】
文字判定部９０７は、情報抽出部９０６によって抽出された診療情報の文字列に、所定のキーワードが含まれるか否かを判定する。具体的に、例えば、文字判定部９０７は、受検者の診療情報の文字列から単語を抽出し、抽出した単語と端末データベースに含まれる所定のキーワードとが一致する場合に、抽出された診療情報の文字列に、所定のキーワードが含まれると判定する。
【００７３】
種別抽出部９０３は、文字判定部９０７によって診療情報の文字列に所定のキーワードが含まれると判定された場合、端末データベースから、所定のキーワードに対応する検査の種別を抽出することとしてもよい。
【００７４】
また、要求出力部９０９は、文字判定部９０７によって診療情報の文字列に所定のキーワードが含まれないと判定された場合、検査を実施した診療科の端末に対し、検査の種別の選択要求を出力する。具体的に、例えば、要求出力部９０９は、端末の識別情報と検査の受検者の識別情報との送信元である端末に対して、ユーザに検査の種別を選択させるための情報を送信する。選択要求を受信した端末は、例えば、付属のディスプレイに、選択要求を受信した旨を表示することにより、ユーザに検査の種別の選択を促す。
【００７５】
その際、取得部９０１は、選択された検査の種別を取得する。選択された検査の種別を取得するとは、ユーザの操作情報を含む信号を受信することである。具体的に、例えば、取得部９０１が、要求出力部９０９によって検査の種別の選択要求が出力された場合に、ユーザから選択された検査の種別を取得する。
【００７６】
そして、登録部９０８は、端末データベースに、取得部９０１によって取得された検査の種別に対応する所定のキーワードとして、情報抽出部９０６によって抽出された診療情報の文字列内の単語を登録する。具体的に、例えば、登録部９０８は、抽出された診療情報の文字列から単語を抽出し、抽出した単語を端末データベースにおける、ユーザから選択された検査の種別に対応するキーワードとして書き込む。
【００７７】
また、検査の種別は、検査に用いられる薬剤の種別と量に関する情報と、検査に用いられる器材の種別と数量に関する情報のうち、少なくともいずれか一方を含むこととしてもよい。
【００７８】
（電子カルテサーバ１０３の自科実施情報作成処理手順）
図１０−１は、実施の形態にかかる電子カルテサーバの自科実施情報作成処理手順の一例を示すフローチャートである。自科実施情報作成処理は、ＣＰＵ３０１によって実行される処理である。自科実施情報作成処理において、電子カルテサーバ１０３は、まず、取得部９０１によって各診療科の端末から検査終了情報を受信したか否かを判定し（ステップＳ１００１）、受信していない場合（ステップＳ１００１：Ｎｏ）、受信するまで待機する。
【００７９】
ステップＳ１００１において、検査終了情報を受信した場合（ステップＳ１００１：Ｙｅｓ）、電子カルテサーバ１０３は、電子カルテＤＢ２２１に、検査終了情報に含まれる検査結果を患者ＩＤとともに登録する（ステップＳ１００２）。そして、登録判定部９０２によって、受信した端末ＩＤと一致する端末ＩＤがリンクマスタ１０５に含まれるか否かを判定する（ステップＳ１００３）。
【００８０】
受信した端末ＩＤと一致する端末ＩＤがリンクマスタ１０５に含まれると判定した場合（ステップＳ１００３：Ｙｅｓ）、端末判定部９０５によって、受信した端末ＩＤに該当するリンクレコードが複数あるか否かを判定する（ステップＳ１００４）。受信した端末ＩＤに該当するリンクレコードが複数ある場合（ステップＳ１００４：Ｙｅｓ）、電子カルテサーバ１０３は、受診した患者ＩＤを参照して電子カルテＤＢ２２１からカルテデータを抽出する（ステップＳ１００５）。
【００８１】
そして、電子カルテサーバ１０３は、ステップＳ１００５において抽出したカルテデータから、単語を抽出し（ステップＳ１００６）、抽出した単語とリンクマスタ１０５におけるキーワードとを比較する（ステップＳ１００７）。その後、文字判定部９０７によって、抽出した単語と一致するキーワードがあるか否かを判定する（ステップＳ１００８）。
【００８２】
ステップＳ１００８において、抽出した単語と一致するキーワードがある場合（ステップＳ１００８：Ｙｅｓ）、種別抽出部９０３によって、一致するキーワードに対応する検査種別を抽出する（ステップＳ１００９）。そして、抽出した検査種別に対応した使用薬剤や使用器材とその使用量を、種別抽出部９０３によって抽出する（ステップＳ１０１０）。
【００８３】
そして、電子カルテサーバ１０３は、ステップＳ１００１において受信した患者ＩＤと、抽出した検査種別と、使用薬剤や使用器材とその使用量とを用いて、自科実施情報を作成する（ステップＳ１０１１）。その後、電子カルテサーバ１０３は、作成した自科実施情報の確認要求を、受信した端末ＩＤに対応する端末に対して送信し（ステップＳ１０１２）、本フローチャートによる一連の処理を終了する。
【００８４】
また、ステップＳ１００３において、受信した端末ＩＤと一致する端末ＩＤがリンクマスタ１０５に含まれないと判定した場合（ステップＳ１００３：Ｎｏ）、電子カルテサーバ１０３は、本フローチャートによる一連の処理を終了する。ステップＳ１００３において、受信した端末ＩＤと一致する端末ＩＤがリンクマスタ１０５に含まれない場合とは、電子カルテサーバ１０３が、他科から検査終了情報を受信した場合である。
【００８５】
また、ステップＳ１００４において、受信した端末ＩＤに該当するリンクレコードが単一であると判定した場合（ステップＳ１００４：Ｎｏ）、電子カルテサーバ１０３は、ステップＳ１００９へ移行する。
【００８６】
また、ステップＳ１００８において、抽出した単語と一致するキーワードがない場合（ステップＳ１００８：Ｎｏ）、電子カルテサーバ１０３は、受信した端末ＩＤに対応する端末に対して検査種別の選択要求を送信する（ステップＳ１０１３）。その後、電子カルテサーバ１０３は、本フローチャートによる一連の処理を終了する。
【００８７】
電子カルテサーバ１０３は、上述した自科実施情報作成処理を実行することにより、検査を実行した診療科の端末が自科端末か他科端末かを判定するとともに、自科端末と判定した場合に自科実施情報を作成することができる。したがって、電子カルテサーバ１０３によれば、自科端末のユーザの実施情報を入力する手間を省くことができ、自科実施情報の作成ミスを防止し、業務の効率化を図ることができる。
【００８８】
また、電子カルテサーバ１０３は、上述した自科実施情報作成処理を実行することにより、複数の検査を実施可能な端末であっても検査種別を抽出することができ、自科端末のユーザに実施された検査の検査種別を選択させる手間を省くことができ、業務の効率化を図ることができる。
【００８９】
（電子カルテサーバ１０３のリンクマスタ登録処理手順）
図１０−２は、実施の形態にかかる電子カルテサーバのリンクマスタ登録処理手順の一例を示すフローチャートである。リンクマスタ登録処理は、ＣＰＵ３０１によって実行される処理である。リンクマスタ登録処理において、電子カルテサーバ１０３は、まず、取得部９０１によって検査種別の選択情報を受信したか否かを判定し（ステップＳ１０２１）、受信していない場合（ステップＳ１０２１：Ｎｏ）、受信するまで待機する。
【００９０】
検査種別の選択情報を受信した場合（ステップＳ１０２１：Ｙｅｓ）、登録部９０８によって、選択情報に含まれる検査種別に対応するリンクマスタ１０５のキーワードに、ステップＳ１００６において抽出した単語を追加登録する（ステップＳ１０２２）。そして、種別抽出部９０３によって、一致するキーワードに対応する検査種別を抽出する（ステップＳ１０２３）。
【００９１】
ステップＳ１０２３の後、抽出した検査種別に対応した使用薬剤や使用器材とその使用量を、種別抽出部９０３によって抽出する（ステップＳ１０２４）。そして、電子カルテサーバ１０３は、ステップＳ１００１において受信した患者ＩＤと、抽出した検査種別と、使用薬剤や使用器材とその使用量とを用いて、自科実施情報を作成する（ステップＳ１０２５）。その後、電子カルテサーバ１０３は、作成した自科実施情報の確認要求を、受信した端末ＩＤに対応する端末に対して送信し（ステップＳ１０２６）、本フローチャートによる一連の処理を終了する。
【００９２】
電子カルテサーバ１０３は、上述したリンクマスタ登録処理を実行することにより、新たなキーワードをリンクマスタ１０５に登録することができる。したがって、電子カルテサーバ１０３は、ユーザに検査種別を選択させる機会を減少させることができ、次回以降の検査の実施時における自科端末のユーザの実施情報を入力する手間を減らすことができる。
【００９３】
（電子カルテサーバ１０３の自科実施情報出力処理手順）
図１０−３は、実施の形態にかかる電子カルテサーバの自科実施情報出力処理手順の一例を示すフローチャートである。自科実施情報出力処理は、ＣＰＵ３０１によって実行される処理である。自科実施情報出力処理において、電子カルテサーバ１０３は、まず、確定情報を受信したか否かを判定する（ステップＳ１０３１）。
【００９４】
確定情報とは、確認要求を電子カルテサーバ１０３から受信した端末のユーザによって、自科実施情報が正しいと確認された場合に、該端末から電子カルテサーバ１０３へ送信される情報である。例えば、確認要求を電子カルテサーバ１０３から受信した端末は、受信した自科実施情報を付属のディスプレイへ出力し、ユーザからの操作を受け付ける。そして、自科実施情報を出力している端末は、ユーザから確定情報の送信要求の操作を受け付けることにより、確定情報を電子カルテサーバ１０３へ出力する。
【００９５】
ステップＳ１０３１において、確定情報を受信した場合（ステップＳ１０３１：Ｙｅｓ）、出力部９０４によって、自科実施情報を、会計サーバ２３２や物流サーバ２４２へ送信する（ステップＳ１０３２）。
【００９６】
また、ステップＳ１０３１において、確定情報を受信していない場合（ステップＳ１０３１：Ｎｏ）、電子カルテサーバ１０３は、非確定情報を受信したか否かを判定する（ステップＳ１０３３）。非確定情報とは、確認要求を電子カルテサーバ１０３から受信した端末のユーザによって、自科実施情報が正しくないと確認された場合に、該端末から電子カルテサーバ１０３へ送信される情報である。例えば、確認要求を電子カルテサーバ１０３から受信した端末は、受信した自科実施情報を付属のディスプレイへ出力し、ユーザからの操作を受け付ける。そして、自科実施情報を出力している端末は、ユーザから非確定情報の送信要求の操作を受け付けることにより、非確定情報を電子カルテサーバ１０３へ出力する。
【００９７】
また、ステップＳ１０３３において、非確定情報を受信した場合（ステップＳ１０３３：Ｙｅｓ）、電子カルテサーバ１０３は、非確定情報を送信した端末に対して、実施情報の作成を依頼する作成依頼情報を送信する（ステップＳ１０３４）。その後、電子カルテサーバ１０３は、本フローチャートによる一連の処理を終了する。作成依頼情報を取得した端末は、ユーザに自科実施情報を入力させる。ステップＳ１０３３において、非確定情報を受信していない場合（ステップＳ１０３３：Ｎｏ）、ステップＳ１０３１へ移行する。
【００９８】
電子カルテサーバ１０３は、上述した自科実施情報出力処理を実行することにより、ユーザに確認をとった自科実施情報を、会計サーバ２３２や物流サーバ２４２へ送信することができる。したがって、業務の効率化を図ることができる。
【００９９】
（会計サーバ２３２の会計情報管理処理手順）
図１１は、実施の形態にかかる会計サーバの会計情報管理処理手順の一例を示すフローチャートである。会計情報管理処理は、会計サーバ２３２のＣＰＵによって実行される処理である。会計情報管理処理において、会計サーバ２３２は、まず、実施情報を受信したか否かを判定し（ステップＳ１１０１）、受信していない場合（ステップＳ１１０１：Ｎｏ）、受信するまで待機する。ここで、実施情報とは、自科実施情報と他科実施情報とを含む。
【０１００】
ステップＳ１１０１において、実施情報を受信した場合（ステップＳ１１０１：Ｙｅｓ）、会計サーバ２３２は、受信した実施情報に基づいて、診察料を算出する（ステップＳ１１０２）。そして、受信した実施情報に含まれる患者ＩＤと診察日と、算出した診察料とを関連付けた会計データを、会計ＤＢ２３３に登録し（ステップＳ１１０３）、本フローチャートによる一連の処理を終了する。
【０１０１】
会計サーバ２３２は、上述した会計情報管理処理を実行することにより、実施情報を用いて会計情報の管理を行うことができ、これにより、会計情報の管理の不備の発生を防止することができる。
【０１０２】
（物流サーバ２４２の物流情報管理処理手順）
図１２は、実施の形態にかかる物流サーバの物流情報管理処理手順の一例を示すフローチャートである。物流情報管理処理は、物流サーバ２４２のＣＰＵによって実行される処理である。物流情報管理処理において、物流サーバ２４２は、まず、実施情報を受信したか否かを判定し（ステップＳ１２０１）、受信していない場合（ステップＳ１２０１：Ｎｏ）、受信するまで待機する。ここで、実施情報とは、自科実施情報と他科実施情報とを含む。
【０１０３】
実施情報を受信した場合（ステップＳ１２０１：Ｙｅｓ）、物流サーバ２４２は、物流ＤＢ２４３の薬剤・器材の残量から、実施情報に含まれる薬剤および器材の使用量を減算した値を、物流ＤＢ２４３の薬剤・器材の残量として登録する（ステップＳ１２０２）。そして、物流サーバ２４２は、物流ＤＢ２４３の薬剤・器材のうち、残量が規定量未満である薬剤・器材があるか否かを判定する（ステップＳ１２０３）。
【０１０４】
残量が規定量未満である薬剤・器材がある場合（ステップＳ１２０３：Ｙｅｓ）、物流サーバ２４２は、残量が規定量未満である薬剤・器材を物流端末２４１へ通知し（ステップＳ１２０４）、本フローチャートによる一連の処理を終了する。残量が規定量未満である薬剤・器材が通知された物流端末２４１は、付属のディスプレイに、残量が規定量未満である薬剤・器材の名称や不足量などを表示し、ユーザから、発注に関する操作を受け付ける。また、ステップＳ１２０３において、残量が規定量未満である薬剤・器材がない場合（ステップＳ１２０３：Ｎｏ）、物流サーバ２４２は、本フローチャートによる一連の処理を終了する。
【０１０５】
物流サーバ２４２は、上述した物流情報管理処理を実行することにより、自動的に作成された自科実施情報を用いて物流情報の管理を行うことができ、これにより、物流情報の管理の不備の発生を防止することができる。
【０１０６】
以上説明した実施の形態にかかる電子カルテサーバ１０３によれば、検査を実行した診療科の端末から受信した端末ＩＤが、リンクマスタ１０５に自科端末の端末ＩＤとして記憶されている場合に、検査種別と患者ＩＤとを出力することとした。これにより、検査を実行した診療科の端末が自科端末か他科端末かを判定するとともに、自科端末である場合に自科実施情報を作成することができる。したがって、電子カルテサーバ１０３によれば、自科端末のユーザの実施情報を入力する手間を省くことができる。すなわち、自科実施情報の作成ミスを防止し、業務の効率化を図ることができる。
【０１０７】
また、電子カルテサーバ１０３によれば、受信した端末ＩＤに対して複数の検査種別が関連付けられている場合、カルテデータ内の文字列の単語と一致するキーワードに関連付けられた検査種別を抽出し、抽出した検査種別と患者ＩＤとを出力することとした。これにより、複数の検査を実施可能な端末であっても検査種別を抽出することができ、自科端末のユーザに検査種別を選択させる手間を省くことができる。
【０１０８】
また、電子カルテサーバ１０３によれば、カルテデータ内の文字列の単語とリンクマスタ１０５内のキーワードとが一致しない場合、ユーザに検査種別を選択させ、選択された検査種別のキーワードとして、カルテデータ内の文字列の単語を登録することとした。これにより、リンクマスタ１０５に学習機能を付加することができる。したがって、電子カルテサーバ１０３は、ユーザに検査種別を選択させる機会を減少させることができ、次回以降の検査の実施時における自科端末のユーザの実施情報を入力する手間を省くことができる。
【０１０９】
また、電子カルテサーバ１０３によれば、リンクマスタ１０５に薬剤・器材と数量が登録されていることにより、薬剤・器材と数量の情報を含む自科実施情報を作成し、実施情報利用システム１０４へ送信することができる。これにより、例えば、会計システム２３０は、薬剤・器材と数量とから診察料を算出することができ、また、物流システム２４０は、薬剤・器材と数量とから備品の発注などの管理を行うことができる。したがって、電子カルテサーバ１０３によれば、実施情報利用システム１０４に有効的に活用させる実施情報を、自科端末のユーザの実施情報を入力する手間を省きつつ、作成することができる。
【０１１０】
なお、本実施の形態で説明した情報管理方法は、予め用意されたプログラムをパーソナル・コンピュータやワークステーション等のコンピュータで実行することにより実現することができる。本情報管理プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また本情報管理プログラムは、インターネット等のネットワークを介して配布してもよい。
【符号の説明】
【０１１１】
１０１  自科システム
１０２  他科システム
１０３  電子カルテサーバ
１０４  実施情報利用システム
１０５  リンクマスタ
２００  情報管理システム
２１１  第１検査システム
２１１ａ  第１検査端末
２１１ｂ  第１検査装置
２１２  第２検査システム
２１２ａ  第２検査端末
２１２ｂ  第２検査装置
２１３  第３検査システム
２１３ａ  第３検査端末
２１３ｂ  第３検査装置
２２１  電子カルテＤＢ
２３０  会計システム
２３１  会計端末
２３２  会計サーバ
２３３  会計ＤＢ
２４０  物流システム
２４１  物流端末
２４２  物流サーバ
２４３  物流ＤＢ
２５０  ネットワーク
９０１  取得部
９０２  登録判定部
９０３  種別抽出部
９０４  出力部
９０５  端末判定部
９０６  情報抽出部
９０７  文字判定部
９０８  登録部
９０９  要求出力部
【図１】
0005729049.tif 000002
【図２】
0005729049.tif 000003
【図３】
0005729049.tif 000004
【図４】
0005729049.tif 000005
【図５】
0005729049.tif 000006
【図６】
0005729049.tif 000007
【図７】
0005729049.tif 000008
【図８】
0005729049.tif 000009
【図９】
0005729049.tif 000010
【図１０−１】
0005729049.tif 000011
【図１０−２】
0005729049.tif 000012
【図１０−３】
0005729049.tif 000013
【図１１】
0005729049.tif 000014
【図１２】
0005729049.tif 000015